(57)【要約】【課題】ケーブルの接続状態が解消された場合でも、情報を外部機器に送信することが可能な電子機器を提供する。【解決手段】電子機器１は、二次電池３１と、インターフェイス部１４と、無線通信部３２と、制御部３３と、を備える。インターフェイス部１４は、ケーブルが接続される。無線通信部３２は、外部機器に情報を送信する。制御部３３は、インターフェイス部１４とケーブルとが接続されることにより、そのケーブルを介して外部機器に情報が送信されると共に、二次電池３１を充電するための電力を受け付ける場合に、次の状態のときに、次の動作を行う。その状態とは、インターフェイス部１４とケーブルとの接続状態が解除されたときに、二次電池３１の電池残量が所定量以上である場合のことである。その動作とは、制御部３３が、無線通信部３２によって外部機器に情報を送信させることである。【選択図】図３
2014090612.tif 000002
【特許請求の範囲】
【請求項１】
二次電池と、
ケーブルが接続されるインターフェイス部と、
外部機器に情報を送信する無線通信部と、
前記インターフェイス部と前記ケーブルとが接続されることにより当該ケーブルを介して前記外部機器に情報が送信されると共に前記二次電池を充電するための電力を受け付ける場合に、前記インターフェイス部と前記ケーブルとの接続状態が解除されたとき、前記二次電池の電池残量が所定量以上である場合には、前記無線通信部によって外部機器に前記情報を送信させる制御部と、
を備える電子機器。
【請求項２】
前記制御部は、前記インターフェイス部と前記ケーブルとの接続状態が解除されたときに、前記二次電池の電池残量が前記所定量未満である場合には、前記無線通信部を動作させない
請求項１に記載の電子機器。
【請求項３】
前記制御部は、前記インターフェイス部と前記ケーブルとの接続状態が解除された後、所定の時間を経過するまでに前記インターフェイス部と前記ケーブルとが再び接続された場合、前記ケーブルを介して前記外部機器に前記情報を送信すると共に、前記ケーブルを介して電力を受け付ける
請求項１又は２に記載の電子機器。
【発明の詳細な説明】
【技術分野】
【０００１】
本発明は、外部機器と接続されることが可能な電子機器に関する。
【背景技術】
【０００２】
携帯端末等と外部機器としてのテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢコネクタを流用している。
【０００４】
このようにして、ＭＨＬを採用した場合、汎用コネクタであるＵＳＢコネクタを使用してテレビと接続することができるメリットがある。
【先行技術文献】
【特許文献】
【０００５】
【特許文献１】特開２０１１−０９１６９９号公報
【発明の概要】
【発明が解決しようとする課題】
【０００６】
ところで、ＨＤＭＩ規格のケーブル又はＭＨＬ規格にケーブルで携帯端末とテレビとを接続して、テレビでコンテンツを表示している場合、携帯端末の表示部には映像が表示されずに黒画面になる。このため、ユーザは、携帯端末に接続されているケーブルを誤って抜いてしまう可能性がある。この場合、テレビには、コンテンツが表示されなくなってしまう。
【０００７】
本発明は、ケーブルの接続状態が解消された場合でも、情報を外部機器に送信することが可能な電子機器を提供することを目的とする。
【課題を解決するための手段】
【０００８】
電子機器は、二次電池と、インターフェイス部と、無線通信部と、制御部と、を備える。前記インターフェイス部は、ケーブルが接続される。前記無線通信部は、外部機器に情報を送信する。前記制御部は、前記インターフェイス部と前記ケーブルとが接続されることにより当該ケーブルを介して前記外部機器に情報が送信されると共に前記二次電池を充電するための電力を受け付ける場合に、前記インターフェイス部と前記ケーブルとの接続状態が解除されたとき、前記二次電池の電池残量が所定量以上である場合には、前記無線通信部によって外部機器に前記情報を送信させる。
【０００９】
前記制御部は、前記インターフェイス部と前記ケーブルとの接続状態が解除されたときに、前記二次電池の電池残量が前記所定量未満である場合には、前記無線通信部を動作させないことが好ましい。
【００１０】
前記制御部は、前記インターフェイス部と前記ケーブルとの接続状態が解除された後、所定の時間を経過するまでに前記インターフェイス部と前記ケーブルとが再び接続された場合、前記ケーブルを介して前記外部機器に前記情報を送信すると共に、前記ケーブルを介して電力を受け付けることが好ましい。
【発明の効果】
【００１１】
本発明によれば、ケーブルの接続状態が解消された場合でも、情報を外部機器に送信することが可能な電子機器を提供することができる。
【図面の簡単な説明】
【００１２】
【図１】実施形態に係るスマートフォンの外観を示す斜視図である。
【図２】実施形態に係るスマートフォンの外観を示す背面図である。
【図３】スマートフォンの構成について説明するためのブロック図である。
【図４】外部機器とスマートフォンがケーブルで接続されている様子を示す図である。
【図５】ケーブルの構成を示す図である。
【図６】スマートフォンの動作について説明するための第１のフローチャートである。
【図７】スマートフォンの動作について説明するための第２のフローチャートである。
【発明を実施するための形態】
【００１３】
本発明を実施するための実施形態を、図面を参照しつつ詳細に説明する。以下では、電子機器の一例として、スマートフォンについて説明する。
【００１４】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１５】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１６】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００１７】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１９】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２１】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２２】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２３】
照度センサ４は、照度を検出する。例えば、照度とは、光の強さ、明るさ、輝度等である。照度センサ４は、例えば、ディスプレイ２Ａの輝度の調整に用いられる。
【００２４】
近接センサ５は、近隣の物体の存在を非接触で検出する。近接センサ５は、例えば、タッチスクリーンディスプレイ２が顔に近付けられたことを検出する。
【００２５】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２６】
カメラ１２は、フロントフェイス１Ａに面している物体を撮影するインカメラである。カメラ１３は、バックフェイス１Ｂに面している物体を撮影するアウトカメラである。
【００２７】
外部インターフェイス（インターフェイス）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００２８】
本実施例に係るスマートフォン１は、ケーブル１０２の接続状態が解消された場合でも、情報を外部機器に送信するように制御する。以下に、具体的な構成について説明する。
スマートフォン１は、図３に示すように、インターフェイス部としての外部インターフェイス１４と、二次電池３１と、無線通信部３２と、制御部３３と、を備える。
【００２９】
外部インターフェイス１４には、ケーブル１０２（図４参照）が接続される。外部インターフェイス１４は、所定の信号伝送用規格（例えば、映像信号及び／又は音声信号の伝送用規格）に準拠しており、ケーブル１０２を介して外部機器に接続される。所定の信号伝送用規格とは、例えば、ＨＤＭＩ規格又はＭＨＬ規格等である。
【００３０】
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００３１】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００３２】
二次電池３１は、外部インターフェイス１４を介して供給された電力により充電される。二次電池３１は、例えば、ケーブル１０２を介してテレビ１０１から電力の供給を受け、又は、ケーブル１０２の途中に配置されたアダプタ（図示せず）を介してテレビ１０１以外の他の電子機器（図示せず）から電力の供給を受ける。
【００３３】
無線通信部３２は、テレビ１０１に情報を送信する。無線通信部３２は、例えば、ＷｉＦｉで通信を行う。情報は、一例として、スマートフォン１で受信した動画や静止画等のコンテンツである。
【００３４】
制御部３３は、外部インターフェイス１４とケーブル１０２とが接続されることにより、そのケーブル１０２を介してテレビ１０１に情報が送信されると共に、二次電池３１を充電するための電力を受け付ける場合に、外部インターフェイス１４とケーブル１０２との接続状態が解除されると、次の動作を行う。すなわち、制御部３３は、二次電池３１の電池残量（バッテリー残量）が所定量以上である場合には、無線通信部３２によってテレビ１０１にその情報を送信させる。
【００３５】
情報は、一例として、スマートフォン１が取得した動画や静止画等のコンテンツである。スマートフォン１は、例えば、基地局（図示せず）等と通信を行うことにより情報を取得する。スマートフォン１は、例えば、他の通信機器（図示せず）と通信を行うことにより情報を取得する。情報がテレビ１０１に送信される場合、テレビ１０１は、その情報に基づく画像を表示する。すなわち、テレビ１０１は、上記のコンテンツを表示する。
【００３６】
スマートフォン１が電力を受け付けた場合、二次電池３１は、その電力によって充電される。
外部インターフェイス１４とケーブル１０２との接続状態が解除されるとは、外部インターフェイス１４からケーブル１０２が抜かれた場合のことである。ケーブル１０２が抜かれた場合には、ユーザが意図的に外部インターフェイス１４からケーブル１０２を抜いた場合を含む。また、ケーブル１０２が抜かれる場合には、ユーザが誤って外部インターフェイス１４からケーブル１０２を抜いた場合を含む。
【００３７】
電池残量についての所定量は、予め設定される基準電池残量である。例えば、所定量は、二次電池３１の電池残量が多くなったときの量である。具体的な一例として、二次電池３１が満充電の場合を１００％とすると、所定量は、６０％、７０％、８０％のいずれかの電池残量である。
【００３８】
制御部３３は、二次電池３１の電池残量が所定量以上である場合には、二次電池３１の電池残量が十分にあるため、ユーザが意図的に外部インターフェイス１４からケーブル１０２を抜いたと判断する。無線通信部３２よってテレビ１０１に送信される情報は、ケーブル１０２を介してテレビ１０１に送信されていた情報と同じものである。制御部３３は、ケーブル１０２が抜かれた場合にケーブル１０２を介した情報の送信を停止し、その後、無線通信部３２によってテレビ１０１との接続が確立されると、無線通信部３２を介した情報の送信を開始する。例えば、制御部３３は、無線通信部３２を介した情報の送信を再開すると、ケーブル１０２が抜かれた時点で停止されたコンテンツの続きを送信することが好ましい。この場合において、情報が動画であると、制御部３３は、無線通信部３２を介した動画の送信を再開しても、ケーブル１０２が抜かれた時点で停止した動画の続きをテレビ１０１に送信することができる。
【００３９】
制御部３３は、外部インターフェイス１４とケーブル１０２との接続状態が解除されたときに、二次電池３１の電池残量が所定量未満である場合には、無線通信部３２を動作させない。制御部３３は、二次電池３１の電池残量が所定量未満である場合には、二次電池３１の電池残量が十分にないため、ユーザが誤って外部インターフェイス１４からケーブル１０２を抜いたと判断する。無線通信部３２を動作させるには相対的に多くの電力を必要とするため、二次電池３１の電池残量が所定量未満である場合には、制御部３３は、無線通信部３２を動作させない。すなわち、制御部３３は、テレビ１０１に対して情報を送信させない。
【００４０】
制御部３３は、外部インターフェイス１４とケーブル１０２との接続状態が解除された後、所定の時間を経過するまでに外部インターフェイス１４とケーブル１０２とが再び接続された場合、ケーブル１０２を介してテレビ１０１に情報を送信すると共に、ケーブル１０２を介して電力を受け付ける。
所定の時間は、適宜設定される時間である。制御部３３は、例えば、第１の場合又は第２の場合のように動作してもよい。
【００４１】
第１の場合として、制御部３３は、二次電池３１の電池残量が所定量以上の場合、外部インターフェイス１４とケーブル１０２との接続状態が解除されると直ちに無線通信部３２から情報を送信する。そして、所定の時間を経過するまでに外部インターフェイス１４とケーブル１０２とが再び接続されると、制御部３３は、無線通信部３２を介したその情報の送信を停止して、ケーブル１０２を介してその情報をテレビ１０１に送信する。
【００４２】
第２の場合として、制御部３３は、二次電池３１の電池残量が所定量以上の状態において、外部インターフェイス１４とケーブル１０２との接続状態が解除された場合、所定の時間を経過するまでに外部インターフェイス１４とケーブル１０２とが再び接続されると、ケーブル１０２を介して情報を送信させる。一方、制御部３３は、二次電池３１の電池残量が所定量以上の状態において、外部インターフェイス１４とケーブル１０２との接続状態が解除された場合、所定の時間を経過するまでに外部インターフェイス１４とケーブル１０２とが再び接続されないと、無線通信部３２によって情報をテレビ１０１に送信させる。
【００４３】
次に、スマートフォン１の動作について説明する。図６は、スマートフォン１の動作について説明するための第１のフローチャートである。
【００４４】
ステップＳＴ１１において、制御部３３は、外部インターフェイス１４にケーブル１０２が接続されたか否かを判断する。ケーブル１０２が接続された場合（ＹＥＳ）には、制御部３３は、処理をステップＳＴ１１に進める。ケーブル１０２が接続されていない場合（ＮＯ）には、制御部３３は、ステップＳＴ１１の判断を再度行う。
【００４５】
ステップＳＴ１２において、制御部３３は、外部インターフェイス１４及びケーブル１０２を介して情報をテレビ１０１に送信する。
【００４６】
ステップＳＴ１３において、制御部３３は、外部インターフェイス１４とケーブル１０２との接続状態が解除されたか否かを判断する。接続状態が解除された場合（ＹＥＳ）には、制御部３３は、処理をステップＳＴ１４に進める。接続状態が解除されていない場合（ＮＯ）には、制御部３３は、処理をステップＳＴ１２に戻す。
【００４７】
ステップＳＴ１４において、制御部３３は、二次電池３１の電池残量が所定量以上であるか否かを判断する。電池残量が所定量以上の場合（ＹＥＳ）には、制御部３３は、処理をステップＳＴ１５に進める。電池残量が所定量以上ではない場合（ＮＯ）には、制御部３３は、処理をステップＳＴ１６に進める。
【００４８】
ステップＳＴ１５において、制御部３３は、無線通信部３２によって情報をテレビ１０１に送信させる。
【００４９】
ステップＳＴ１６において、制御部３３は、テレビ１０１への情報の送信を停止させる。すなわち、制御部３３は、無線通信部３２を動作させない。
ステップＳＴ１５及びステップＳＴ１６の後、制御部３３は、処理を終了させる。
【００５０】
図７は、スマートフォン１の動作について説明するための第２のフローチャートである。
ステップＳＴ２１において、制御部３３は、外部インターフェイス１４とケーブル１０２との接続状態が解除された後、所定の時間を経過するまでに、外部インターフェイス１４とケーブル１０２とが再び接続されたか否かを判断する。所定の時間を経過するまでに、外部インターフェイス１４とケーブル１０２とが再び接続された場合（ＹＥＳ）には、制御部３３は、処理をステップＳＴ２２に進める。所定の時間を経過するまでに、外部インターフェイス１４とケーブル１０２とが再び接続されなかった場合（ＮＯ）には、制御部３３は、処理を終了する。
【００５１】
ステップＳＴ２２において、制御部３３は、ケーブル１０２を介して情報をテレビ１０１に送信させる。
ステップＳＴ２２の後、制御部３３は、処理を終了させる。
【００５２】
このようなスマートフォン１は、次の効果を奏する。
すなわち、スマートフォン１は、外部インターフェイス１４とケーブル１０２との接続状態が解除された場合、二次電池３１の電池残量が所定量以上であると、無線通信部３２によってテレビ１０１に情報を送信する。二次電池３１は、電池残量が所定量以上であると、無線通信部３２を連続して十分に動作させるだけの電力をその無線通信部３２に供給することができる。このため、スマートフォン１は、ケーブル１０２の接続状態が解消された場合でも、その情報をテレビ１０１に送信することができる。すなわち、ユーザは、スマートフォン１のコンテンツをテレビ１０１で視聴し続けることができる。
【００５３】
スマートフォン１は、外部インターフェイス１４とケーブル１０２との接続状態が解除されたときに、二次電池３１の電池残量が所定量未満である場合には、無線通信部３２を動作させない。二次電池３１は、電池残量が所定量未満の場合には、無線通信部３２を連続して十分に動作させるたけの電力をその無線通信部３２に供給することができない。このため、スマートフォン１は、電話又はメール等の主要な機能を優先して動作させることができる。
【００５４】
スマートフォン１は、外部インターフェイス１４とケーブル１０２との接続状態が解除された後、所定の時間を経過するまでに外部インターフェイス１４とケーブル１０２とが再び接続された場合、ケーブル１０２を介してテレビ１０１に情報を送信すると共に、ケーブル１０２を介して電力を受け付ける。これにより、スマートフォン１は、その情報をテレビ１０１に送信することができる。すなわち、ユーザは、スマートフォン１のコンテンツをテレビ１０１で視聴し続けることができる。
【符号の説明】
【００５５】
１  スマートフォン（電子機器）
１４  外部インターフェイス（インターフェイス部）
３１  二次電池
３２  無線通信部
３３  制御部
【図１】
2014090612.tif 000003
【図２】
2014090612.tif 000004
【図３】
2014090612.tif 000005
【図４】
2014090612.tif 000006
【図５】
2014090612.tif 000007
【図６】
2014090612.tif 000008
【図７】
2014090612.tif 000009